(57)【特許請求の範囲】
【請求項１】
凹形状に湾曲したストロボリフレクタの反射面に密着して被せられた保護シートを除去する方法において、
ストロボリフレクタの端縁に向けてガスを噴射して前記保護シートを前記反射面から浮き上がらせ、反射面から浮き上がった保護シートをストロボリフレクタに対面して設置した吸引ノズル内に吸い込んで、前記反射面から除去することを特徴とするストロボリフレクタの保護シート除去方法。
【請求項２】
凹形状に湾曲したストロボリフレクタの反射面に密着して被せられた保護シートを除去する装置において、
ストロボリフレクタの端縁に噴射口が向けられ、ガスの吹きつけ方向がストロボリフレクタの端縁における接線の方向に対して０〜４５°の範囲内で外側に傾くように配置された噴射ノズルと、ストロボリフレクタの中央部に吸引口が向けられ、前記ガスの吹きつけによって反射面から浮き上がった保護シートを前記吸引口から内部に吸い込むことによって、前記反射面から除去する吸引ノズルとを備えたことを特徴とするストロボリフレクタの保護シート除去装置。
【請求項３】
前記噴射ノズルは、ストロボリフレクタの互いに対向し合った少なくとも一対の端縁に対応する位置に各々配置されていることを特徴とする請求項２記載のストロボリフレクタの保護シート除去装置。
【請求項４】
前記噴射ノズルは、前記吸引ノズルの先端の外周部に一体に設けられていることを特徴とする請求項２または請求項３記載のストロボリフレクタの保護シート除去装置。
【発明の詳細な説明】
【０００１】
【発明の属する技術分野】
本発明はストロボ装置の組み立てに関するものであり、更に詳しくは、ストロボリフレクタのを覆う保護シートの除去方法及び装置に関するものである。
【０００２】
【従来の技術】
カメラやレンズ付きフイルムユニットに広く用いられているストロボ装置は、一般的に、ストロボ放電管と、このストロボ放電管を発光させるために昇圧回路、コンデンサ等を有するストロボ回路基板、ストロボ光を効率よく前方に反射させるストロボリフレクタ（反射鏡）、及びストロボ放電管を保護するためのプロテクター（拡散板）等から構成されている。
【０００３】
これらストロボ装置の構成部品の内、ストロボリフレクタは周知のとおり薄い金属板等で形成されており、ストロボ光を前面側に効率よく反射させるために内側面が反射面（鏡面）となっている。ところで、このようなストロボリフレクタの反射面は大変傷つき易く、擦り傷等で表面が損傷した場合、ストロボ光が乱反射されてしまい、ストロボ光を前面側（被写体側）に効率よく反射することができなくなる恐れがある。また、反射面に汚れや塵等も付着しやすい。特に、安価に大量生産されるレンズ付きフイルムユニットにおいて、予め金属板から打抜き成型されたストロボリフレクタが、レンズ付きフイルムユニット用ストロボ装置の組み立て工程に投入される迄の搬送途上等において、反射面が剥き出しになっていると、振動や衝撃により擦り傷等の損傷を受ける可能性がある。
【０００４】
このようなストロボリフレクタの素材は、鏡面加工された原反の時に、柔軟な樹脂シート等で表面が保護されており、ストロボリフレクタの成型時も貼着されたまま加工され、この樹脂シートが貼着された状態でストロボ装置の組み立て工程に投入することにより、ストロボリフレクタの反射面の損傷を防止することが従来より行われている。そして、レンズ付きフイルムユニット用ストロボ装置の組み立て工程に投入される直前に、作業者がピンセット等で、ストロボリフレクタの反射面からこの保護シートを１つ１つ剥がしてから、ストロボリフレクタをストロボ装置の組み立て工程に投入している。
【０００５】
【発明が解決しようとする課題】
しかしながら、ストロボリフレクタをストロボ装置の組み立て工程に投入する際に、作業者がピンセット等でストロボリフレクタの反射面から保護シートを１つ１つ剥がす方法では、作業効率が極めて悪く、ストロボリフレクタの投入がネックとなって組み立て工程全体の生産性が低下する原因となり問題となっている。
【０００６】
また、ストロボリフレクタの反射面から保護シートを剥がす際に、ピンセット等の治具の使用により、逆に反射面を傷つけてしまうことも多く、このような点からも問題であった。
【０００７】
本発明は上記従来技術の問題点を考慮してなされたもので、ストロボリフレクタの反射面に貼付された保護シートを、簡単な機構で効率よく確実に、且つ、反射面を傷つけることなくストロボリフレクタから剥離するためのストロボリフレクタの保護シート除去方法及び装置を提供することを目的とする。
【０００８】
【課題を解決するための手段】
上記目的を達成するために、請求項１記載のストロボリフレクタの保護シート除去方法においては、凹形状に湾曲したストロボリフレクタの端縁に向けてガスを噴射して、ストロボリフレクタの反射面に密着して被せられた保護シートを反射面から浮き上がらせ、反射面から浮き上がった保護シートをストロボリフレクタに対面して設置した吸引ノズル内に吸い込んで、前記反射面から除去するようにしたものである。
【０００９】
請求項２記載のストロボリフレクタの保護シート除去装置においては、凹形状に湾曲したストロボリフレクタの端縁に噴射口が向けられ、ガスの吹きつけ方向がストロボリフレクタの端縁における接線の方向に対して０〜４５°の範囲内で外側に傾くように配置された噴射ノズルと、ストロボリフレクタの中央部に吸引口が向けられ、ガスの吹きつけによって反射面から浮き上がった、ストロボリフレクタの反射面に密着して被せられた保護シートを前記吸引口から内部に吸い込むことによって、前記反射面から除去する吸引ノズルとを備えたものである。
【００１０】
請求項３記載のストロボリフレクタの保護シート除去装置においては、前記噴射ノズルを、ストロボリフレクタの互いに対向し合った少なくとも一対の端縁に対応する位置に各々配置されているものである。請求項４記載のストロボリフレクタの保護シート除去装置においては、前記噴射ノズルが、前記吸引ノズルの先端の外周部に一体に設けられているものである。
【００１１】
【発明の実施の形態】
以下本発明の実施例を図面を参照して説明する。図２は本発明により組み立てられたストロボ装置を内蔵したレンズ付きフイルムユニットの外観斜視図であり、図３はその分解斜視図である。レンズ付きフイルムユニット１は、本体部３と、この本体部３に取りつけられる撮影機構４、ストロボ装置５、これらを前後から覆う前カバ−６、後カバ−７とからなるユニット本体２と、このユニット本体２の一部を覆う外装体３１と写真フイルムカートリッジ３２とから構成される。
【００１２】
撮影機構４には、周知のシャッタ装置８、撮影レンズ９、ファインダ１１、及び撮影枚数表示板１２等が設けられている。前カバ−６の前面には、これら撮影レンズ９、ファインダ１１等を露出させる開口が設けられており、ストロボ充電完了を確認するための充電完了表示窓１６も設けられている。また、前カバ−６の前面下部には、ストロボ装置５のスイッチ接片２５を操作するためのスイッチ操作部材１３が一体に設けられている。
【００１３】
前カバ−６の上面には、シャッタ装置８を動作させるレリーズボタン１４が一体に設けられ、また、撮影枚数表示板１２の一部を露出させる撮影枚数表示窓１５等が設けられている。
【００１４】
本体部３の中央には、露光光路であるアパーチャ１７が設けられ、その両端には、カートリッジ室１８、フイルムロール室１９が形成されている。そして、このカートリッジ室１８、フイルムロール室１９には、写真フイルムカートリッジ３２と、この写真フイルムカートリッジ３２から引き出されたフイルムロール３３ｂが各々光密に収納される。さらに、カートリッジ室１８の上部には、写真フイルムカートリッジ３２のスプール３４を回動させて、写真フイルム３３ａを巻き上げるための巻き上げノブ２１が設けられる。
【００１５】
本体部３の前面上部には、ストロボ装置５が取りつけられる。図４に示すように、ストロボ装置５は、コンデンサ３６や充電完了ランプ３７等のストロボ回路を構成するのに必要な各種部品がパターン上に半田付けされたプリント基板２２と、後述するストロボ発光部２３と、このストロボ回路に充電を開始させるスイッチ接片２５、及びこのストロボ装置５に電力を供給する電池２４等から構成されている。
【００１６】
なお、スイッチ接片２５は、スイッチ操作部材１３の押圧によりプリント基板２２上に形成された接点３５ａ，３５ｂと接触し、この接点３５ａと接点３５ｂとの間を短絡させることにより、ストロボ装置５のコンデンサ３６に充電が開始される。また、このストロボ回路は、一回だけスイッチ操作部材１３を押圧してスイッチ接片２５を閉じ、すぐにスイッチ操作部材１３の押圧を解除しても、メインコンデンサ３６には必要な電圧レベルまで充電が行われるタイプのものであり、回路の詳しい構成、作用等は、例えば特願平５−２６８９８３号等に詳述されている。
【００１７】
図５に示すように、ストロボ発光部２３は、ストロボ放電管３８と、ストロボリフレクタ３９と、プロテクター１０と、これらを一体に保持するレフケース４０とからなる。ストロボ放電管３８は、周知のとおり、内部にガスが封入された閃光放電管であり、電極３８ａに高電圧をかけることにより、ストロボ光を発する。
【００１８】
ストロボリフレクタ３９は、薄い金属板で放物線状に湾曲するように折り曲げ成型されたものであり、湾曲している内面側は、反射面（鏡面）３９ａを構成している。そして、ストロボ放電管３８が発したストロボ光の内、後部側に照射されたストロボ光を、この反射面３９ａで前方に反射させて、ストロボ光を効率よく前方（被写体側）に照射する。なお、このストロボリフレクタ３９の反射面３９ａは大変傷つきやすいので、素材の段階からストロボ装置５の組み立て前まで、薄いビニール製の保護シート３９ｂがこの反射面３９ａに貼り付けられている。そして、後ほど詳述する保護シート除去装置で保護シート３９ｂが除去されてから組み込まれる。なお、ストロボリフレクタ３９がレフケース４０に装着された状態で保護シート３９ｂを除去してもよい。
【００１９】
プロテクター１０は、ストロボ放電管３８、及びストロボリフレクタ３９を保護し、ストロボ光を均一に分散させるものである。このプロテクター１０には、係合板１０ａが突設されており、プロテクター１０の係合爪４０ａと係合する。レフケース４０は、ストロボ放電管３８、ストロボリフレクタ３９、及びプロテクター１０をストロボ発光部２３として一体に保持するものであり、プロテクター１０の係合板１０ａと係合する係合爪４０ａが、一体に突設されている。
【００２０】
図１、及び図６は、ストロボ装置の組み立て工程の内、ストロボリフレクタの反射面に貼り付けられている保護シートを除去するための保護シート除去装置、及びストロボリフレクタを示す説明図である。保護シート除去装置５１は、圧搾空気のガス噴射手段であるガス噴射ノズル５２ａ〜５２ｄと、保護シート３９ｂの吸引手段である吸引ノズル５３と、ストロボリフレクタ３９の中央部分の上部にくるように設けられた飛び出し防止リブ５４等から構成されている。
【００２１】
ガス噴射ノズル５２ａ〜５２ｄは、中央に配置された吸引ノズル５３を取り巻くように設けられている。このガス噴射ノズル５２ａ〜５２ｄは、圧搾空気を送り込むコンプレッサー（図示せず）に繋がっており、図１に示すストロボリフレクタ３９における端縁の接線Ａ（図１参照）と同じか、或いはそれよりも外側に傾いた角度θの範囲でストロボリフレクタ３９の方向に延びている。この角度θは、接線Ａに対して０〜４５度の範囲がよい。
【００２２】
そして、ガス噴射ノズル５２ａ〜５２ｄからストロボリフレクタ３９にガスを噴射することにより、ストロボリフレクタ３９の反射面３９ａに貼り付けられている保護シート３９ｂが浮き上がり、保護シート３９ｂがストロボリフレクタ３９から剥離する。なお、このガス噴射ノズル５２ａ〜５２ｄから噴射されるガスは、例えば、１．８秒間に３回など、間欠的に噴射することにより、保護シート３９ｂを効率的に剥離することが可能になる。
【００２３】
吸引ノズル５３は、ガス噴射ノズル５２ａ〜５２ｄに囲まれるように、中央部に配置されており、バキューム装置（図示せず）に接続している。これにより、ガス噴射ノズル５２ａ〜５２ｄによりストロボリフレクタ３９から浮き上がった保護シート３９ｂは、この吸引ノズル５３で吸引除去され、バキューム装置に蓄積される。
【００２４】
ストロボリフレクタ３９の開口縁の上部位置に設けられた飛び出し防止リブ５４は、吸引ノズル５３による保護シート３９ｂの吸引時に、軽量のストロボリフレクタ３９が浮き上がったりしないように、ストロボリフレクタ３９を押さえる。なお、この飛び出し防止リブ５４は、剥離した保護シート３９ｂがストロボリフレクタ３９との間に挟まれるのを防止するために、飛び出し防止リブ５４とストロボリフレクタ３９の上辺との間に、図１中の間隔Ｂで示される０．２〜２ｍｍの隙間があくように設けられており、角をテーパー形状にすることにより、保護シート３９ｂがスムーズに吸引ノズル５３に引き込まれる。
【００２５】
以上のような構成の作用について説明する。レンズ付きフイルムユニット１のストロボ装置５の組み立て工程において、ストロボリフレクタ３９を取りつける際には、まず、ストロボリフレクタ３９の反射面３９ａに保護シート３９ｂが貼りついたまま、レフケース４０にセットされる。そして、例えばレフケース４０ごと搬送トレイ５５に載置されて、保護シート除去装置５１に送られる。
【００２６】
レフケース４０にセットされたストロボリフレクタ３９が保護シート除去装置５１に達すると、ガス噴射ノズル５２ａ〜５２ｄから勢い良く圧搾空気が間欠的に噴射される。このガス噴射ノズル５２ａ〜５２ｄは、ストロボリフレクタ３９における端縁の接線Ａ（図１参照）と同じか、或いはそれよりも外側に傾いた角度θの範囲でストロボリフレクタ３９の方向に延びているので、保護シート３９ｂが容易に浮き上がり、保護シート３９ｂがストロボリフレクタ３９から剥離する。
【００２７】
そして、ストロボリフレクタ３９から剥離した保護シート３９ｂは、吸引ノズル５３で速やかに吸引除去される。そして、保護シート３９ｂが除去されたストロボリフレクタ３９は、レフケース４０と共に次の組み立て工程に投入される。
【００２８】
このように、ストロボリフレクタ３９から保護シート３９ｂを剥離する際に、ピンセット等を使用して人手により保護シート３９ｂを剥離、除去する必要がないので、連続して効率よくストロボリフレクタ３９から保護シート３９ｂを剥離することができる。また、保護シート３９ｂを剥離を圧搾空気の噴射により行うので、剥離時にストロボリフレクタ３９の反射面３９ａをピンセット等で傷つけてしまうこともない。
【００２９】
なお、上記実施形態においては、ストロボリフレクタはその断面が放物線状を成し、その端縁の接線に対して０〜４５°外側に傾けているが、これ以外にも、例えば、底部が半筒状でそこから平面状に斜めに立ち上がった断面をもつストロボリフレクタにおいては、平面部分の延長線に対して０〜４５°外側に傾けるようにしてもよい。
【００３０】
また、上述した実施形態においては、レンズ付きフイルムユニット用のストロボ装置の例を取り上げたが、勿論、一般のカメラに用いられるストロボ装置のストロボリフレクタの保護シートを剥離する場合にも、全く同様に適用することが可能である。
【００３１】
【発明の効果】
以上のように、本発明のストロボリフレクタの保護シート除去方法においては、凹形状に湾曲したストロボリフレクタの端縁に向けてガスを噴射して、ストロボリフレクタの反射面に密着して被せられた保護シートを反射面から浮き上がらせ、反射面から浮き上がった保護シートをストロボリフレクタに対面して設置した吸引ノズルで吸い込むようにしたので、ストロボリフレクタの反射面に貼付された保護シートを、簡単な機構で効率よく確実に、且つ、反射面を傷つけることなくストロボリフレクタから剥離することが可能になる。
【図面の簡単な説明】
【図１】本発明を実施したストロボリフレクタの保護シート除去装置を示す説明図である。
【図２】本発明のにより組み立てられるレンズ付きフイルムユニットを示す外観斜視図である。
【図３】図２の分解斜視図である。
【図４】図３のストロボ装置を示す分解斜視図である。
【図５】図４のストロボ発光部を示す説明図である。
【図６】図１の別な説明図である。
【符号の説明】
１  レンズ付きフイルムユニット
５  ストロボ装置
２３  ストロボ発光部
３９  ストロボリフレクタ
３９ａ  反射面
３９ｂ  保護シート
４０  レフケース
５１  保護シート除去装置
５２ａ〜５２ｄ  ガス噴射ノズル
５３  吸引ノズル
５４  飛び出し防止リブ
【図１】
0003765656.tif 000002
【図２】
0003765656.tif 000003
【図３】
0003765656.tif 000004
【図４】
0003765656.tif 000005
【図５】
0003765656.tif 000006
【図６】
0003765656.tif 000007